(57)【要約】【課題】複数の遺骨を区別して一つの骨壷内に収納することができるとともに、収納及び取り出しが容易な骨壷を提供する。【解決手段】本考案による骨壷１は、上端開放の有底角筒体の壺本体２の上部開口部に蓋体３が開閉自在に設けられる外側骨壷４と、上部開口部から壺本体２内に収納自在の２つの内側骨壷５，５とから成り、内側骨壷５には、壺本体２内への収納及び取り出しを容易にすべく、指又は手で把持するための把持部である凹部６が形成されている。そして、内側骨壷５は、前記外側骨壷４と同様に、上端開放の有底角筒体の壺本体１１の上部開口部に蓋体１２が開閉自在に設けられたものである。又、前記凹部６は、内側骨壷５の壺本体１１の上端近傍の両側（図に於いて左右両側）に夫々形成されるが、上端近傍の外周面全周に及んで形成されても良い。【選択図】図１
0003151384.tif 000002
【実用新案登録請求の範囲】
【請求項１】
壺本体の上部開口部に蓋体が開閉自在に設けられる外側骨壷と、前記上部開口部から前記壺本体内に収納自在の１又は２以上の内側骨壷とから成る骨壷であって、前記内側骨壷には、前記壺本体内への収納及び取り出しを容易にすべく、指又は手で把持するための把持部を設けたことを特徴とする骨壷。
【請求項２】
前記２以上の内側骨壷は、同じ大きさの骨壷、又は、大小の骨壷から成ることを特徴とする請求項１記載の骨壷。
【請求項３】
前記外側骨壷と、前記内側骨壷とは、夫々蓋体を被せた状態で、外観視略直方体に形成されていることを特徴とする請求項１又は２記載の骨壷。
【請求項４】
前記把持部は、前記内側骨壷の壺本体の上端近傍の両側に夫々形成される凹部、又は、上端近傍の外周面全周に及んで形成される凹部であることを特徴とする請求項１乃至３のうちいずれか一に記載の骨壷。
【請求項５】
前記外側骨壷へ前記内側骨壷を収納及び取り出しする時に、前記凹部に指又は手を差し込み易くするために、前記内側骨壷の壺本体の上端は、上端の全周又は一部外周が前記壺本体の下部より小さく形成されていることを特徴とする請求項４記載の骨壷。
【請求項６】
前記把持部は、指又は手で把持するための把手と、前記把手を前記内側骨壷の壺本体に連結する連結体とで形成されていることを特徴とする請求項１乃至３のうちいずれか一に記載の骨壷。
【請求項７】
前記連結体は、前記内側骨壷の壺本体に所定長さ摺動自在に連結されることを特徴とする請求項６記載の骨壷。
【請求項８】
前記把持部は、前記内側骨壷の壺本体の両側上端から前記内側骨壷の蓋体上方に突出させた突出部を形成して成ることを特徴とする請求項１乃至３のうちいずれか一に記載の骨壷。
【請求項９】
前記外側骨壷は、蓋体を被せた状態で、外観視略直方体に形成され、前記内側骨壷は蓋体を被せた状態で、外観視略円柱体に形成されていることを特徴とする請求項１又は２記載の骨壷。
【請求項１０】
前記壺本体の上端に水分流入防止のためのゴムパッキンが装着されていることを特徴とする請求項１乃至９のうちいずれか一に記載の骨壷。
【請求項１１】
前記外側骨壷の壺本体の外側面の正面部に家紋を表示したことを特徴とする請求項１乃至１０のうちいずれか一に記載の骨壷。
【考案の詳細な説明】
【技術分野】
【０００１】
本考案は、夫婦や、兄弟、親子等の複数の遺骨を区別して一つの骨壷内に収納することができる骨壷に関するものである。
【背景技術】
【０００２】
従来の骨壷は、一般的に１つの骨壷に１柱の遺骨を収めている。そして、家族の場合は、家族の骨壷が１つのお墓に収納される場合がある。
然しながら、夫婦や、兄弟、親子等、生前に結びつきが強い者同士の場合に於いては、死後も同様に継続する結びつきを望み、骨壷も一緒に収められることを望む場合がある。
又、事故等により、同時に亡くなった場合等、遺族が遺骨を一緒に収納することを希望する場合がある等、種々のケースに於いて、骨壷も一緒に収納されることを望んでいる場合がある。
然しながら、従来、一般的には１つの骨壷に複数の遺骨を収納することは行なわれていない。
【０００３】
一方、此種の先行文献として、特許文献１のように、２つの骨壷を結合手段で結びつけるものや、特許文献２のように、１つの骨壷内に一対の夫婦用骨壷を収納するものがある。
【先行技術文献】
【特許文献】
【０００４】
【特許文献１】再特表ＷＯ２００４／０９３７６９号公報
【特許文献２】実開平０３−６０９２９号公報
【考案の概要】
【考案が解決しようとする課題】
【０００５】
前述したように、骨壷に一緒に収納されることを望む場合があるが、従来、１つの骨壷に複数の遺骨を収納することは行われていない。
又、特許文献１のように、２つの骨壷を結合手段で結びつける場合は、一緒に収納されることにはならない。
一方、特許文献２のように、１つの骨壷内に一対の夫婦用骨壷を収納することは、骨壷に一緒に収納される要望を満たすものであるが、特許文献２の場合は、外側の骨壷内に内側の骨壷を収納しにくく、骨壷を破損したり、傷つけたりする虞がある。
【０００６】
以上の現状に鑑み、本考案は、複数の遺骨を区別して一つの骨壷内に収納することができるとともに、収納及び取り出しが容易な骨壷を提供することを目的とする。
【課題を解決するための手段】
【０００７】
上記の課題を解決すべく、本考案は以下の構成を提供する。
請求項１に係る考案は、壺本体の上部開口部に蓋体が開閉自在に設けられる外側骨壷と、前記上部開口部から前記壺本体内に収納自在の１又は２以上の内側骨壷とから成る骨壷であって、前記内側骨壷には、前記壺本体内への収納及び取り出しを容易にすべく、指又は手で把持するための把持部を設けたことを特徴とする骨壷を提供するものである。
【０００８】
請求項２に係る考案は、前記２以上の内側骨壷は、同じ大きさの骨壷、又は、大小の骨壷から成ることを特徴とする請求項１記載の骨壷を提供するものである。
【０００９】
請求項３に係る考案は、前記外側骨壷と、前記内側骨壷とは、夫々蓋体を被せた状態で、外観視略直方体に形成されていることを特徴とする請求項１又は２記載の骨壷を提供するものである。
【００１０】
請求項４に係る考案は、前記把持部は、前記内側骨壷の壺本体の上端近傍の両側に夫々形成される凹部、又は、上端近傍の外周面全周に及んで形成される凹部であることを特徴とする請求項１乃至３のうちいずれか一に記載の骨壷を提供するものである。
【００１１】
請求項５に係る考案は、前記外側骨壷へ前記内側骨壷を収納及び取り出しする時に、前記凹部に指又は手を差し込み易くするために、前記内側骨壷の壺本体の上端は、上端の全周又は一部外周が前記壺本体の下部より小さく形成されていることを特徴とする請求項４記載の骨壷を提供するものである。
【００１２】
請求項６に係る考案は、前記把持部は、指又は手で把持するための把手と、前記把手を前記内側骨壷の壺本体に連結する連結体とで形成されていることを特徴とする請求項１乃至３のうちいずれか一に記載の骨壷を提供するものである。
【００１３】
請求項７に係る考案は、前記連結体は、前記内側骨壷の壺本体に所定長さ摺動自在に連結されることを特徴とする請求項６記載の骨壷を提供するものである。
【００１４】
請求項８に係る考案は、前記把持部は、前記内側骨壷の壺本体の両側上端から前記内側骨壷の蓋体上方に突出させた突出部を形成して成ることを特徴とする請求項１乃至３のうちいずれか一に記載の骨壷を提供するものである。
【００１５】
請求項９に係る考案は、前記外側骨壷は、蓋体を被せた状態で、外観視略直方体に形成され、前記内側骨壷は蓋体を被せた状態で、外観視略円柱体に形成されていることを特徴とする請求項１又は２記載の骨壷を提供するものである。
【００１６】
請求項１０に係る考案は、前記壺本体の上端に水分流入防止のためのゴムパッキンが装着されていることを特徴とする請求項１乃至９のうちいずれか一に記載の骨壷を提供するものである。
【００１７】
請求項１１に係る考案は、前記外側骨壷の壺本体の外側面の正面部に家紋を表示したことを特徴とする請求項１乃至１０のうちいずれか一に記載の骨壷を提供するものである。
【考案の効果】
【００１８】
本考案の請求項１記載の考案によれば、複数の遺骨を区別して一つの骨壷内に収納することができるとともに、収納及び取り出しが容易な骨壷を提供することができる。
【００１９】
請求項２記載の考案によれば、請求項１記載の考案の効果に加え、夫婦、家族等の複数の遺骨をサイズに合わせた骨壷内に収納できると共に、小の骨壷には、例えば、子供や、乳呑み児、ペット等の遺骨を収納することができる。
【００２０】
請求項３記載の考案によれば、請求項１又は２記載の考案の効果に加え、外観視略直方体の外側骨壷内に一対の外観視略直方体の内側骨壷をスペース効率良く収納できる。
【００２１】
請求項４記載の考案によれば、請求項１乃至３のうちいずれか一に記載の考案の効果に加え、把持部は、加工し易く、且つ、把持し易い。
【００２２】
請求項５記載の考案によれば、請求項４記載の考案の効果に加え、凹部に指又は手を差し込み易く、且つ、内側骨壷を収納及び取り出しする時に、内側骨壷の壺本体の上端が邪魔にならない。
【００２３】
請求項６記載の考案によれば、請求項１乃至３のうちいずれか一に記載の考案の効果に加え、内側骨壷の収納及び取り出しが容易であり、部品コストも安価ですむ。
【００２４】
請求項７記載の考案によれば、請求項６記載の考案の効果に加え、把手を引っ張り出して把持することができ、引っ張り出した把手を内側骨壷の蓋体上面に戻すこともできる。
【００２５】
請求項８記載の考案によれば、請求項１乃至３のうちいずれか一に記載の考案の効果に加え、突設部を把持することにより、内側骨壷の収納及び取り出しを容易にすることができる。
【００２６】
請求項９記載の考案によれば、請求項１又は２に記載の考案の効果に加え、内側骨壷は、従来の一般的な市販品の骨壷を利用できると共に、外観視略円柱体の内側骨壷は外側骨壷との間に一部隙間ができるため、把持部がなくても、或いは把持部を用いなくても外側骨壷内に収納しやすい利点がある。
【００２７】
請求項１０記載の考案によれば、請求項１乃至９のうちいずれか一に記載の考案の効果に加え、骨壷内への水分の流入を防止できる。
【００２８】
請求項１１記載の考案によれば、請求項１乃至１０のうちいずれか一に記載の考案の効果に加え、家紋を表示することにより、骨壷の内容の表示及び識別が可能となる。
【図面の簡単な説明】
【００２９】
【図１】（ａ）本考案による骨壷の蓋体を取り除いた状態の平面図である。（ｂ）本考案による骨壷の正面従断面図である。（ｃ）本考案によるゴムパッキン装着部の詳細正面従断面図である。
【図２】（ａ）本考案による骨壷の平面図である。（ｂ）本考案による骨壷の正面図である。
【図３】（ａ）本考案による左側の内側骨壷の平面図である。（ｂ）本考案による左側の内側骨壷の正面図である。（ｃ）本考案による右側の内側骨壷の平面図である。（ｄ）本考案による右側の内側骨壷の正面図である。
【図４】本考案による第１変形例の骨壷の正面従断面図である。
【図５】本考案による第２変形例の骨壷の正面従断面図である。
【図６】本考案による第３変形例の骨壷の正面従断面図である。
【図７】（ａ）本考案による第４変形例の骨壷の蓋体を取り除いた状態の平面図である。（ｂ）本考案による第４変形例の骨壷の正面従断面図である。
【図８】（ａ）本考案による第５変形例の骨壷の蓋体を取り除いた状態の平面図である。（ｂ）本考案による第５変形例の骨壷の正面従断面図である。
【図９】（ａ）本考案による第５変形例の骨壷の左側の内側骨壷の平面図である。（ｂ）本考案による第５変形例の骨壷の左側の内側骨壷の正面図である。（ｃ）本考案による第５変形例の骨壷の右側の内側骨壷の平面図である。（ｄ）本考案による第５変形例の骨壷の右側の内側骨壷の正面図である。
【図１０】（ａ）本考案による第６変形例の骨壷の内側骨壷の平面図である。（ｂ）本考案による第６変形例の骨壷の内側骨壷の側面図である。
【考案を実施するための形態】
【００３０】
以下、実施例を示した図面を参照しつつ本考案の実施の形態を説明する。
【実施例１】
【００３１】
図１に於いて、１は、本考案による骨壷を示し、骨壷１は、上端開放の有底角筒体の壺本体２の上部開口部に蓋体３が開閉自在に設けられる外側骨壷４と、上部開口部から壺本体２内に収納自在の２つの内側骨壷５，５とから成り、内側骨壷５には、壺本体２内への収納及び取り出しを容易にすべく、指又は手で把持するための把持部である後述する凹部６が形成されている。
【００３２】
そして、内側骨壷５は、前記外側骨壷４と同様に、上端開放の有底角筒体の壺本体１１の上部開口部に蓋体１２が開閉自在に設けられている。
又、前記凹部６は、内側骨壷５の壺本体１１の上端近傍の両側（図１に於いて左右両側）に夫々形成されるが、上端近傍の外周面全周に及んで形成されても良い。
尚、前記骨壷１に於いては、前記凹部６内に指又は手を差し込むために、外側骨壷４の内側面と、内側骨壷５の外側面との間、或いは内側骨壷５の外側面と隣り合う内側骨壷５の外側面との間に指又は手を通すだけの隙間を空けておく必要がある。その分、外側骨壷４を大きく形成するか、内側骨壷５を小さく形成する。
【００３３】
又、同図（ｃ）に示すように、外側骨壷４の壺本体２の上端に水分流入防止のためのゴムパッキン１３が装着されている。
尚、詳細には、外側骨壷４の壺本体２と蓋体３との側面の面合わせのために、壺本体２の上端の外周部は、蓋体３の下端外周部を載置すべく全周に及んで切欠されて載置面が形成されており、切欠されない壺本体２の上端内周部の全周に及んでゴムパッキン１３が装着されている。
【００３４】
又、図１に於いて、１４は、外側骨壷４の壺本体２の上端近傍の両側（図１に於いて左右両側）に夫々形成される凹部である。１５は、外側骨壷４の脚部である。
【００３５】
図２（ａ）は、前記骨壷１の平面図、図２（ｂ）は、前記骨壷１の正面図を示しており、図２（ｂ）に於いて、１６は、前記骨壷１を構成する外側骨壷４の壺本体２の外側面正面部に表示された家紋を示している。家紋１６は彫刻されても良く、家紋が表示されたものを貼付又は嵌め込んでも良い。
【００３６】
図３（ａ）は、図１に於いて左側の前記内側骨壷５の平面図を示しており、図３（ｂ）は、左側の前記内側骨壷５の正面図を示しており、図３（ｃ）は、図１に於いて右側の前記内側骨壷５の平面図を示しており、図３（ｄ）は、右側の前記内側骨壷５の正面図を示している。
図２及び図３に示すように、前記外側骨壷４と、内側骨壷５とは、夫々蓋体３，１２を被せた状態で、外観視略直方体に形成されている。
【００３７】
図４に於いて、３１は、第１変形例の骨壷を示し、骨壷３１は、前記骨壷（図１に於いて１）の右側の内側骨壷（図１に於いて５）に代えて、小サイズの内側骨壷３２を収納するものである。小サイズの内側骨壷３２は、例えば、子供の遺骨や、乳呑み児の遺骨、或いはペット等の遺骨を収納するのに用いることができる。尚、外側骨壷３３は、前記外側骨壷（図１に於いて４）を前記内側骨壷３２の変更にあわせてサイズ変更したものである。
【００３８】
図５に於いて、４１は、第２変形例の骨壷を示し、骨壷４１は、前記骨壷（図１に於いて１）の右側の内側骨壷（図１に於いて５）に代えて、小サイズの内側骨壷４２、４３を収納するものである。尚、外側骨壷４４は、前記外側骨壷（図１に於いて４）を前記内側骨壷４２，４３の変更にあわせてサイズ変更したものである。
【００３９】
図１、図４及び図５で示したように、内側骨壷は、１又は２以上でも良く、２以上の場合は、同じ大きさの骨壷、又は、大小の骨壷であっても良い。
【００４０】
図６に於いて、５１は、第３変形例の骨壷を示し、骨壷５１は、前記骨壷（図１に於いて１）の内側骨壷（図１に於いて５）に代えて、変形した内側骨壷５２を収納するものであり、内側骨壷５２は、把持部として内側骨壷５２の壺本体５３の上端近傍の両側（図６に於いて左右側）に前記凹部（図１に於いて６）と同様の機能を持つ凹部５４が形成され、外側骨壷４へ内側骨壷５２を収納及び取り出しする時に、凹部５４に指又は手を差し込み易くするために、内側骨壷５２の壺本体５３の上端は、上端の全周又は一部外周が壺本体５３の下部より小さく形成されているものである。
【００４１】
従って、図６に於いて、外側骨壷４の蓋体３を取外した状態で、上方から前記凹部５４に指又は手を差し込む場合、壺本体５３の上端が壺本体５３の下部より小さくなっているため、壺本体５３の上端と外側骨壷４の内側面との間に適度な隙間があり、前記凹部５４への指又は手の差し込みが容易である。尚、内側骨壷５２の蓋体５５は、小さく形成された内側骨壷５２の壺本体５３の上端と平面視同じ形状に形成される。
第３変形例の骨壷５１は、壺本体５３の上端を前述したように小さく形成するが、壺本体５３の下部は、大きく形成できるので、スペース効率は良くなる。
【００４２】
図７に於いて、６１は第４変形例の骨壷を示し、骨壷６１は、前記骨壷（図１に於いて１）の内側骨壷（図１に於いて５）に代えて、変形例の内側骨壷６２を収納するものであり、内側骨壷６２は、蓋体６３を被せた状態で、外観視略円柱体に形成されたものである。
内側骨壷６２は、平面視円になるので、平面視長方形の外側骨壷４との間に隙間が形成され、その隙間から指又は手を差し入れて内側骨壷６２を把持できるので、把持部を設ける必要がないが、より出し入れを容易にするため、前述した凹部等の把持部を設けても良い。
このような形状の内側骨壷６２は、従来、良く用いられるものであり、市販されて求めやすく、安価である利点がある。
【００４３】
図８に於いて、７１は第５変形例の骨壷を示し、骨壷７１は、前記骨壷（図１に於いて１）の内側骨壷（図１に於いて５）に代えて、変形例の内側骨壷７２を収納するものであり、内側骨壷７２は、前記内側骨壷（図１に於いて５）の凹部（図１に於いて６）に代えて、前記壺本体（図１に於いて１１）と略同形状の壺本体７３の上端近傍の両側（図８に於いて左右両側）に夫々両側方に突設する突設部７４を設け、把持部として、指又は手で把持するための把手７５と、把手７５を突設部７４に連結する連結体７６とを設けたものである。
【００４４】
連結体７６は、針金や、プラスチック、布、ファイバー、ゴム等からなる紐状体、帯状体から成り、前記突設部７４に固着しても良く、或いは、突設部７４に貫通孔を上下方向に開穿し、連結体７６が貫通孔を介して所定長さの範囲で摺動自在になるように連結しても良い。その場合、例えば、貫通孔を通した連結体７６が貫通孔から外れないように連結体７６の先端部に留め部等を形成すれば良い。
【００４５】
図９（ａ）は、第５変形例の骨壷７１の図８に於いて左側の前記内側骨壷７２の平面図を示しており、図９（ｂ）は、左側の前記内側骨壷７２の正面図を示しており、図９（ｃ）は、図８に於いて右側の前記内側骨壷７２の平面図を示しており、図９（ｄ）は、右側の前記内側骨壷７２の正面図を示している。
図９に於いて、連結体７６は、具体例として針金を用いた場合を示しており、針金の連結体７６を屈曲させることにより、内側骨壷７２の上面に於いて、把手７５を中心側に位置させることができ、外側骨壷（図８に於いて４）の内側面から把手７５を中心側に離間させることにより把手７５を把持し易くなっている。
【００４６】
又、針金の連結体７６は、突設部７４の貫通孔を摺動させることにより把手７５を図９（ｂ）に示す位置から図９（ｄ）に示す位置に引っ張り出すことができ、更に、把手７５を把持し易くなっている。反対に引っ張り出した把手７５を押し下げて把手７５を内側骨壷７２の蓋体上面に戻すこともできる。
第５変形例の骨壷７１は、内側骨壷７２の内側面と外側骨壷の外側面との間にそれほど大きな間隙を必要としないので、内側骨壷７２を比較的大きく形成でき、スペース効率が良い。又、内側骨壷７２の収納及び取り出しも容易である。
【００４７】
図１０（ａ）は第６変形例の骨壷（図示せず）の内側骨壷の側面図、図１０（ｂ）は第６変形例の骨壷（図示せず）の内側骨壷の平面図を示しており、図１０に示される内側骨壷８１は、前記骨壷（図１に於いて１）の内側骨壷（図１に於いて５）の凹部（図１に於いて６）に代えて、把持部として、内側骨壷８１の壺本体８２の両側上端｛図１０（ａ）に於いて前後上端｝から内側骨壷８１の蓋体８３上方に突出させた突出部８４を形成したものであり、突出部８４を把持し易くするために、例えば上端を太く形成しても良く、図１０（ｂ）に示すように突出部８４に指又は手を差し入れる中空部８５を形成しても良い。
尚、突出部８４の形成のために、壺本体８２の前記突出部８４近傍の側壁を図に示す如く圧肉Ａにして、蓋体８３の載置面及び、ゴムパッキンを装着する上端部を確保しても良い。
【００４８】
尚、図示は省略するが、前記骨壷１，３１，４１，５１，６１、７１及び内側骨壷８１の例に於いて、外側骨壷内に内側骨壷を安定的して保持させるため、外側骨壷の内底部に、内側骨壷の底部の形状に対応する凹部又は凸部を形成しても良く、或いは、外側骨壷内に区画壁を形成しても良い。
【符号の説明】
【００４９】
１，３１，４１，５１，６１，７１  骨壷
２，１１，５３，７３，８２  壺本体
３，１２，５５，８３  蓋体
４，３３，４４  外側骨壷
５，３２，４２，４３，５２，６２，７２，８１  内側骨壷
６，１４，５４  凹部
１３  ゴムパッキン
１６  家紋
７５  把手
７６  連結体
８４  突出部
８５  中空部
【図１】
0003151384.tif 000003
【図２】
0003151384.tif 000004
【図３】
0003151384.tif 000005
【図４】
0003151384.tif 000006
【図５】
0003151384.tif 000007
【図６】
0003151384.tif 000008
【図７】
0003151384.tif 000009
【図８】
0003151384.tif 000010
【図９】
0003151384.tif 000011
【図１０】
0003151384.tif 000012